(57)【要約】【課題】記録動作や再生動作が行えなくなったり、タイマー記録時に記録が行えなくなったりする不具合をユーザに速やかに確実に伝え、その不具合によるトラブルを未然に防ぐことができる光ディスク装置を提供する【解決手段】光ディスクが装置内に無しで記録キーが押下されたとき、記録できない光ディスクが装置に挿入されている場合に記録キーが押下されたとき、記録できない状態でタイマー記録スタンバイに入れられたとき、光ディスクが装置内に無しで再生キーが押下されたとき、記録中にディスク残量が無くなったとき、ディスク挿入時にローディングエラーになったとき、装置の電源がオフで装置内に光ディスクが無しの状態から電源がオンされたときに、トレイが自動的にオープンされるので、記録動作や再生動作が行えなくなったり、タイマー記録時に記録が行えなくなったりする不具合をユーザに確実に伝えることができる。【選択図】図３
2007323739.tif 000002
【特許請求の範囲】
【請求項１】
光ディスクに記録された情報の再生、または光ディスクに対して情報の記録／再生を行う光ディスク装置において、
光ディスクがトレイに載置されていなく、トレイがクローズになっている状態を示す第１の状態を検出する第１の状態検出手段と、
ユーザ側では記録不可の光ディスクがトレイに載置されていて、トレイがクローズになっている状態を示す第２の状態を検出する第２の状態検出手段と、
トレイに載置されている光ディスクのディスク残量が無くなった状態で、トレイがクローズになっている状態を示す第３の状態を検出する第３の状態検出手段と、
トレイに載置されている光ディスクが記録中にディスク残量が無くなった状態で、トレイがクローズになっている状態を示す第４の状態を検出する第４の状態検出手段と、
光ディスクをトレイに載置して装置に挿入しマウント処理時にローディングエラーになった状態を示す第５の状態を検出する第５の状態検出手段と、
電源オフであって光ディスクがトレイに載置されていなくてディスク無しの状態を示す第６の状態を検出する第６の状態検出手段と、
前記第１の状態あるいは前記第２の状態あるいは前記第３の状態において記録キーが押下されたとき、
または前記第１の状態あるいは前記第２の状態あるいは前記第３の状態においてタイマー記録のスタンバイに入れられたとき、
または前記第１の状態において再生キーが押下されたとき、
または前記第４の状態において記録が停止したとき、
または第５の状態になったとき、
または前記第６の状態において電源キーが押下されたときに、
セットアップによる初期設定で自動トレイオープンに設定されている場合に、トレイをオープンさせる制御を行うトレイ制御手段と、を有するシステムコントローラを備えたことを特徴とする光ディスク装置。
【請求項２】
光ディスクに記録された情報の再生、または光ディスクに対して情報の記録／再生を行う光ディスク装置において、
光ディスクがトレイに載置されていなく、トレイがクローズになっている状態を示す第１の状態、あるいはユーザ側では記録不可の光ディスクがトレイに載置されていて、トレイがクローズになっている状態を示す第２の状態、あるいはトレイに載置されている光ディスクのディスク残量が無くなった状態で、トレイがクローズになっている状態を示す第３の状態において記録キーが押下されたとき、
または前記第１の状態あるいは前記第２の状態あるいは前記第３の状態においてタイマー記録のスタンバイに入れられたとき、
または前記第１の状態において再生キーが押下されたとき、
またはトレイに載置されている光ディスクが記録中にディスク残量が無くなった状態で、トレイがクローズになっている状態を示す第４の状態において記録が停止したとき、
または光ディスクをトレイに載置して装置に挿入しマウント処理時にローディングエラーになった状態を示す第５の状態になったとき、
または電源オフであって光ディスクがトレイに載置されていなくてディスク無しの状態を示す第６の状態において電源キーが押下されたときに、
セットアップによる初期設定で自動トレイオープンに設定されている場合に、トレイをオープンさせる制御を行うシステムコントローラを備えたことを特徴とする光ディスク装置。
【請求項３】
前記システムコントローラは、光ディスクがトレイに載置されていなく、トレイがクローズになっている状態を示す第１の状態を検出する第１の状態検出手段と、ユーザ側では記録不可の光ディスクがトレイに載置されていて、トレイがクローズになっている状態を示す第２の状態を検出する第２の状態検出手段と、トレイに載置されている光ディスクのディスク残量が無くなった状態で、トレイがクローズになっている状態を示す第３の状態を検出する第３の状態検出手段と、トレイに載置されている光ディスクが記録中にディスク残量が無くなった状態で、トレイがクローズになっている状態を示す第４の状態を検出する第４の状態検出手段と、光ディスクをトレイに載置して装置に挿入しマウント処理時にローディングエラーになった状態を示す第５の状態を検出する第５の状態検出手段と、電源オフであって光ディスクがトレイに載置されていなくてディスク無しの状態を示す第６の状態を検出する第６の状態検出手段と、前記第１の状態あるいは前記第２の状態あるいは前記第３の状態において記録キーが押下されたとき、または前記第１の状態あるいは前記第２の状態あるいは前記第３の状態においてタイマー記録のスタンバイに入れられたとき、または前記第１の状態において再生キーが押下されたとき、または前記第４の状態において記録が停止したとき、または第５の状態になったとき、または前記第６の状態において電源キーが押下されたときに、セットアップによる初期設定で自動トレイオープンに設定されている場合に、トレイをオープンさせる制御を行うトレイ制御手段とを有することを特徴とする請求項２に記載の光ディスク装置。
【発明の詳細な説明】
【技術分野】
【０００１】
本発明は、光ディスクに記録された情報の再生、または光ディスクに対して情報の記録／再生を行う光ディスク装置に関し、特に、光ディスクが載置されるトレイをオープンさせる場合の処理に関する。
【背景技術】
【０００２】
光ディスクとしてのＤＶＤ（デジタルバーサタイルディスク）やＣＤ（コンパクトディスク）に記録された情報の再生を行うＤＶＤプレイヤ、あるいはＣＤに記録された情報の再生を行うＣＤプレイヤ、ＤＶＤに対して情報を記録したり、ＤＶＤに記録された情報を再生したりするＤＶＤレコーダなどの光ディスク装置では、光ディスクをトレイに載置して、装置内に光ディスクを挿入するためのトレイが装置本体の前面操作部に設けられている。例えば、ユーザが光ディスクの情報を再生させたい場合、あるいは光ディスクに情報を記録させたい場合に、光ディスクを装置内に挿入させる必要があるので、リモコンのトレイ開閉キーまたは前面操作部のトレイ開閉キーを押下して、トレイを前方に引き出してトレイに光ディスクを載置し、もう一度、リモコンのトレイ開閉キーまたは前面操作部のトレイ開閉キーを押下すると、トレイは装置内に引き込ませて、光ディスクが装置内に挿入されるようになっている。
【特許文献１】特開平１０−２０８３６８号公報
【特許文献２】特開２００５−１０８２８２号公報
【特許文献３】特開２００５−３３２５５３号公報
【特許文献４】特開平１１−１６７７５６号公報
【発明の開示】
【発明が解決しようとする課題】
【０００３】
ところが、ユーザは、光ディスク装置内に光ディスクが挿入されていないが、挿入されていると思い込んで、リモコンなどの記録キーを押下しても、光ディスク装置は記録動作を行うことができないので、ディスプレイ装置に、例えば、「ディスクが入っていません」と言うメッセージが表示されることによって、ユーザは初めて光ディスクが光ディスク装置に挿入されていないことが分かる。ここで、このような状態を第１の状態と称することにする。したがって、第１の状態の場合に、ユーザは、リモコンのトレイ開閉キーまたは前面操作部のトレイ開閉キーを押下して、トレイを前方に引き出してトレイに光ディスクを載置し、もう一度、リモコンのトレイ開閉キーまたは前面操作部のトレイ開閉キーを押下し、トレイを装置内に引き込ませて光ディスクを装置内に挿入する。
【０００４】
また、ユーザ側では記録できない光ディスク（ＤＶＤ−ＲＯＭ）がトレイに載置されていて、トレイがクローズになっている状態（第２の状態）のとき、ユーザがリモコンなどの記録キーを押下すると、ディスプレイ装置に例えば、「このディスクは記録不可です」と言うメッセージが表示されるので、現在挿入されている光ディスクでは記録できないことが、ここで初めて分かる。したがって、第２の状態の場合に、ユーザは、リモコンのトレイ開閉キーまたは前面操作部のトレイ開閉キーを押下して、トレイを前方に引き出して、記録可能でディスク残量が有る光ディスクをトレイに載置し、もう一度、リモコンのトレイ開閉キーまたは前面操作部のトレイ開閉キーを押下して、トレイを装置内に引き込ませて、光ディスクを装置内に挿入する。
【０００５】
また、トレイに載置されている光ディスクが記録可能な光ディスクであっても、ディスク残量が無くなっている状態（第３の状態）のとき、ユーザがリモコンなどの記録キーを押下すると、ディスプレイ装置に例えば、「このディスクは容量不足で記録できません」と言うメッセージが表示されるので、現在挿入されている光ディスクでは記録できないことが、ここで初めて分かる。したがって、第３の状態の場合に、ユーザは、リモコンのトレイ開閉キーまたは前面操作部のトレイ開閉キーを押下して、トレイを前方に引き出して、記録可能でディスク残量の有る光ディスクをトレイに載置し、もう一度、リモコンのトレイ開閉キーまたは前面操作部のトレイ開閉キーを押下し、トレイを装置内に引き込ませて、光ディスクを装置内に挿入する。
【０００６】
また、トレイに載置されている光ディスクが記録中にディスク残量が無くなった状態（第４の状態）のとき、記録が停止する。したがって、第４の状態の場合に、ユーザは、リモコンのトレイ開閉キーまたは前面操作部のトレイ開閉キーを押下して、トレイを前方に引き出して、記録可能でディスク残量の有る光ディスクをトレイに載置し、もう一度、リモコンのトレイ開閉キーまたは前面操作部のトレイ開閉キーを押下し、トレイを装置内に引き込ませて、光ディスクを装置内に挿入する。
【０００７】
また、光ディスクをトレイに載置して装置に挿入しマウント処理時にローディングエラーになった状態（第５の状態）のとき、ディスプレイ装置にエラー表示される。したがって、第５の状態の場合に、ユーザは、リモコンのトレイ開閉キーまたは前面操作部のトレイ開閉キーを押下して、トレイを前方に引き出して光ディスクを交換し、もう一度、リモコンのトレイ開閉キーまたは前面操作部のトレイ開閉キーを押下し、トレイを装置内に引き込ませて、光ディスクを装置内に挿入する。
【０００８】
また、装置の電源オフであって光ディスクがトレイに載置されていない状態（第６の状態）とき、リモコンまたは前面操作部の電源キーを押下して装置の電源をオンする。そして、情報の記録または再生を行う光ディスクを装置内に挿入させるために、ユーザは、リモコンのトレイ開閉キーまたは前面操作部のトレイ開閉キーを押下して、トレイを前方に引き出して、トレイに光ディスクを載置し、もう一度、リモコンのトレイ開閉キーまたは前面操作部のトレイ開閉キーを押下し、トレイを装置内に引き込ませて、光ディスクを装置内に挿入する。
【０００９】
しかしながら、このような従来の光ディスク装置は、前記第１の状態から前記第６の状態で示すような不具合により、記録動作が行えなくなったり、再生動作が行えなくなったり、タイマー記録時に記録が行えなくなったりする場合、ディスプレイ装置に表示される不具合の内容を見れば知ることもできるが、不具合の内容を見なければ、ユーザは、光ディスクが装置に挿入されていない事、光ディスクを交換する必要がある事などに気付かない場合があり、これにより、記録、再生、タイマー記録に対するトラブルが発生すると言う課題があった。
【００１０】
また、ディスプレイ装置の電源が切られていた場合は、不具合の内容を見ることができないので、装置の前面操作部に設けられている警告ランプの表示により、何らかの不具合が起きていることを知ることもできるが、光ディスクが装置に挿入されていない事、光ディスクを交換する必要がある事などに、気付かないことが殆どであり、これにより、記録、再生、タイマー記録に対するトラブルが発生すると言う課題があった。
【００１１】
なお、特許文献１の従来技術は、搭載された光ディスクが記録または再生が不可能なディスクであると判定された場合に、その光ディスクを排出するものであるが、光ディスクがトレイに載置されていなく、トレイがクローズになっている状態で記録キーが押下されたとき、記録できない状態においてタイマー記録のスタンバイに入れられたとき、光ディスクがトレイに載置されていなく、トレイがクローズになっている状態において再生キーが押下されたとき、またはトレイに載置されている光ディスクが記録中にディスク残量が無くなった状態において記録が停止したとき、光ディスクをトレイに載置して装置に挿入しマウント処理時にローディングエラーになったとき、電源オフであって光ディスクがトレイに載置されていない状態において、電源キーが押下されたときには、トレイをオープンにすることにより、光ディスクに関係する不具合の警告が発することができない。
【００１２】
特許文献２の従来技術は、装填されている光ディスクの空き容量がユーザによって設定された警告を発する基準以下となると、光ディスクが装填されている限り、電源オフのスタンバイ状態であっても、表示パネルに残量不足を示す警告メッセージを表示するようにしているが、光ディスクがトレイに載置されていなく、トレイがクローズになっている状態で記録キーが押下されたとき、記録できない状態においてタイマー記録のスタンバイに入れられたとき、光ディスクがトレイに載置されていなく、トレイがクローズになっている状態において再生キーが押下されたとき、またはトレイに載置されている光ディスクが記録中にディスク残量が無くなった状態において記録が停止したとき、光ディスクをトレイに載置して装置に挿入しマウント処理時にローディングエラーになったとき、電源オフであって光ディスクがトレイに載置されていない状態において、電源キーが押下されたときには、トレイをオープンにすることにより、光ディスクに関係する不具合の警告が発することができない。
【００１３】
特許文献３の従来技術は、装置の電源投入に応じて表示装置に録画再生装置を操作するための初期メニューが表示され、その初期メニューに応じて操作して行くと、録画・再生動作に入る前に、トレイの排出／引き込み動作が自動的に行われているようになっているが、装置の電源がオフで光ディスク無しの状態から電源をオンした場合にはトレイを排出するように構成されていない。
【００１４】
特許文献４の従来技術は、光ディスク装置に関するものではなく、ビデオデッキに関するものであるが、巻き戻しを開始したときにおけるテープ残量が所定時間以内であるときにビデオテープを自動排出させるように構成されているが、この従来技術は、巻き戻し時におけるビデオテープの排出処理であり、光ディスクに対する記録や再生を行う際に、光ディスクが載置されるトレイのオープン／クローズの処理には適用できない。
【００１５】
本発明は、上記のような課題を解決するためになされたもので、記録動作や再生動作が行えなくなったり、タイマー記録時に記録が行えなくなったりする不具合をユーザに速やかに確実に伝え、その不具合によるトラブルを未然に防ぐことができる光ディスク装置を提供することを目的とする。
【課題を解決するための手段】
【００１６】
上記目的を達成するために、請求項１の発明は、光ディスクがトレイに載置されていなく、トレイがクローズになっている状態を示す第１の状態を検出する第１の状態検出手段と、ユーザ側では記録不可の光ディスクがトレイに載置されていて、トレイがクローズになっている状態を示す第２の状態を検出する第２の状態検出手段と、トレイに載置されている光ディスクのディスク残量が無くなった状態で、トレイがクローズになっている状態を示す第３の状態を検出する第３の状態検出手段と、トレイに載置されている光ディスクが記録中にディスク残量が無くなった状態で、トレイがクローズになっている状態を示す第４の状態を検出する第４の状態検出手段と、光ディスクをトレイに載置して装置に挿入しマウント処理時にローディングエラーになった状態を示す第５の状態を検出する第５の状態検出手段と、電源オフであって光ディスクがトレイに載置されていなくてディスク無しの状態を示す第６の状態を検出する第６の状態検出手段と、前記第１の状態あるいは前記第２の状態あるいは前記第３の状態において記録キーが押下されたとき、または前記第１の状態あるいは前記第２の状態あるいは前記第３の状態においてタイマー記録のスタンバイに入れられたとき、または前記第１の状態において再生キーが押下されたとき、または前記第４の状態において記録が停止したとき、または第５の状態になったとき、または前記第６の状態において電源キーが押下されたときに、セットアップによる初期設定で自動トレイオープンに設定されている場合に、トレイをオープンさせる制御を行うトレイ制御手段とを有するシステムコントローラを備えたことを特徴とする光ディスク装置を提供する。
【００１７】
この構成において、前記第１の状態が第１の状態検出手段により検出された場合、または前記第２の状態が第２の状態検出手段により検出された場合、または前記第３の状態が第３の状態検出手段により検出された場合、この後、記録キーが押下されると、セットアップによる初期設定で自動トレイオープンに設定されている場合に、トレイ制御手段によりトレイがオープンされる。これにより、ユーザは、光ディスクがトレイに載置されていない事、または記録不可の光ディスクがトレイに載置されている事、またはトレイに載置されている光ディスクのディスク残量が無くなっている事が分かり、それに対処することができる。即ち、光ディスクがトレイに載置されていない場合は、ユーザは、記録可能な光ディスクをトレイに載置し、記録不可の光ディスクがトレイに載置されている場合は、記録可能でディスク残量の有る光ディスクに交換する。また、トレイに載置されている光ディスクのディスク残量が無くなっている場合は、ユーザは、記録可能でディスク残量が有る光ディスクに交換することにより、不具合に対処することができる。
【００１８】
前記第１の状態が第１の状態検出手段により検出された場合、または前記第２の状態が第２の状態検出手段により検出された場合、または前記第３の状態が第３の状態検出手段により検出された場合、この後、タイマー記録のスタンバイに入れられると、セットアップによる初期設定で自動トレイオープンに設定されている場合に、トレイ制御手段によりトレイがオープンされる。これにより、ユーザは、光ディスクがトレイに載置されていない事、または記録不可の光ディスクがトレイに載置されている事、またはトレイに載置されている光ディスクのディスク残量が無くなっている事が分かり、それに対処することができる。即ち、光ディスクがトレイに載置されていない場合は、ユーザは、記録可能な光ディスクをトレイに載置し、記録不可の光ディスクがトレイに載置されている場合は、記録可能でディスク残量の有る光ディスクに交換する。また、トレイに載置されている光ディスクのディスク残量が無くなっている場合は、ユーザは、記録可能でディスク残量が有る光ディスクに交換することにより、不具合に対処することができる。
【００１９】
前記第１の状態が第１の状態検出手段により検出された場合、この後、再生キーが押下されると、セットアップによる初期設定で自動トレイオープンに設定されている場合に、トレイ制御手段によりトレイがオープンされる。これにより、ユーザは、光ディスクがトレイに載置されていない事が分かり、情報が記録されている光ディスクをトレイに載置することにより、その光ディスクの情報を再生することが可能になる。
【００２０】
前記第４の状態が第４の状態検出手段により検出されたとき、記録停止処理が行われ、セットアップによる初期設定で自動トレイオープンに設定されている場合に、トレイ制御手段によりトレイがオープンされる。これにより、ユーザは、現在記録中の光ディスクはディスク残量が無くなって、これ以上記録できないことが分かり、記録可能でディスク残量の有る光ディスクに交換することにより、不具合に対処することができる。
【００２１】
前記第５の状態が第５の状態検出手段により検出されたとき、セットアップによる初期設定で自動トレイオープンに設定されている場合に、トレイ制御手段によりトレイがオープンされる。これにより、ユーザは、挿入された光ディスクはマウント処理時にローディングエラーが発生したということが分かり、正常な光ディスクに交換することにより、不具合に対処することができる。
【００２２】
前記第６の状態が第６の状態検出手段により検出された場合、この後、電源キーが押下されると、セットアップによる初期設定で自動トレイオープンに設定されている場合に、トレイ制御手段によりトレイがオープンされる。これにより、ユーザは、トレイに光ディスクが載置していない事が分かり、光ディスクをトレイに載置することにより、情報の記録または再生が可能になる。
【００２３】
したがって、この構成によれば、光ディスクが装置内に無しで記録キーが押下されたとき、記録できない光ディスクが装置に挿入されている場合に記録キーが押下されたとき、記録できない状態でタイマー記録スタンバイに入れられたとき、光ディスクが装置内に無しで再生キーが押下されたとき、記録中にディスク残量が無くなったとき、ディスク挿入時にローディングエラーになったとき、装置の電源がオフで装置内に光ディスクが無しの状態から電源がオンされたときに、トレイが自動的にオープンされるので、記録動作が行えなくなったり、再生動作が行えなくなったり、タイマー記録時に記録が行えなくなったりする不具合をユーザに速やかに確実に伝えることができ、これにより、その不具合によるトラブルを未然に防ぐことができる。
【００２４】
請求項２の発明は、光ディスクがトレイに載置されていなく、トレイがクローズになっている状態を示す第１の状態、あるいはユーザ側では記録不可の光ディスクがトレイに載置されていて、トレイがクローズになっている状態を示す第２の状態、あるいはトレイに載置されている光ディスクのディスク残量が無くなった状態で、トレイがクローズになっている状態を示す第３の状態において記録キーが押下されたとき、または前記第１の状態あるいは前記第２の状態あるいは前記第３の状態においてタイマー記録のスタンバイに入れられたとき、または前記第１の状態において再生キーが押下されたとき、またはトレイに載置されている光ディスクが記録中にディスク残量が無くなった状態で、トレイがクローズになっている状態を示す第４の状態において記録が停止したとき、または光ディスクをトレイに載置して装置に挿入しマウント処理時にローディングエラーになった状態を示す第５の状態になったとき、または電源オフであって光ディスクがトレイに載置されていなくてディスク無しの状態を示す第６の状態において電源キーが押下されたときに、セットアップによる初期設定で自動トレイオープンに設定されている場合に、トレイをオープンさせる制御を行うシステムコントローラを備えたことを特徴とする光ディスク装置を提供する。
【００２５】
この構成において、前記第１の状態の場合、または前記第２の状態の場合、または前記第３の状態の場合、記録キーが押下されると、セットアップによる初期設定で自動トレイオープンに設定されている場合には、トレイが自動的にオープンされる。これにより、ユーザは、光ディスクがトレイに載置されていない事、または記録不可の光ディスクがトレイに載置されている事、またはトレイに載置されている光ディスクのディスク残量が無くなっている事が分かり、それに対処することができる。即ち、光ディスクがトレイに載置されていない場合は、ユーザは、記録可能な光ディスクをトレイに載置し、記録不可の光ディスクがトレイに載置されている場合は、記録可能でディスク残量の有る光ディスクに交換する。また、トレイに載置されている光ディスクのディスク残量が無くなっている場合は、ユーザは、記録可能でディスク残量が有る光ディスクに交換することにより、不具合に対処することができる。
【００２６】
前記第１の状態の場合、または前記第２の状態の場合、または前記第３の状態の場合、タイマー記録のスタンバイに入れられると、セットアップによる初期設定で自動トレイオープンに設定されている場合には、トレイが自動的にオープンされる。これにより、ユーザは、光ディスクがトレイに載置されていない事、または記録不可の光ディスクがトレイに載置されている事、またはトレイに載置されている光ディスクのディスク残量が無くなっている事が分かり、それに対処することができる。即ち、光ディスクがトレイに載置されていない場合は、ユーザは、記録可能な光ディスクをトレイに載置し、記録不可の光ディスクがトレイに載置されている場合は、記録可能でディスク残量の有る光ディスクに交換する。また、トレイに載置されている光ディスクのディスク残量が無くなっている場合は、ユーザは、記録可能でディスク残量が有る光ディスクに交換することにより、不具合に対処することができる。
【００２７】
前記第１の状態の場合、再生キーが押下されると、セットアップによる初期設定で自動トレイオープンに設定されている場合には、トレイが自動的にオープンされる。これにより、ユーザは、光ディスクがトレイに載置されていない事が分かり、情報が記録されている光ディスクをトレイに載置することにより、その光ディスクの情報を再生することが可能になる。
【００２８】
前記第４の状態とき、記録停止処理が行われ、セットアップによる初期設定で自動トレイオープンに設定されている場合には、トレイが自動的にオープンされる。これにより、ユーザは、現在記録中の光ディスクはディスク残量が無くなって、これ以上記録できないことが分かり、記録可能でディスク残量の有る光ディスクに交換することにより、不具合に対処することができる。
【００２９】
前記第５の状態になったとき、セットアップによる初期設定で自動トレイオープンに設定されている場合には、トレイが自動的にオープンされる。これにより、ユーザは、挿入された光ディスクはマウント処理時にローディングエラーが発生したという事が分かり、正常な光ディスクに交換することにより、不具合に対処することができる。
【００３０】
前記第６の状態の場合、電源キーが押下されると、セットアップによる初期設定で自動トレイオープンに設定されている場合には、トレイが自動的にオープンされる。これにより、ユーザは、トレイに光ディスクが載置していない事が分かり、光ディスクをトレイに載置することにより、情報の記録または再生が可能になる。
【００３１】
したがって、この構成によれば、光ディスクが装置内に無しで記録キーが押下されたとき、記録できない光ディスクが装置に挿入されている場合に記録キーが押下されたとき、記録できない状態でタイマー記録スタンバイに入れられたとき、光ディスクが装置内に無しで再生キーが押下されたとき、記録中にディスク残量が無くなったとき、ディスク挿入時にローディングエラーになったとき、装置の電源がオフで装置内に光ディスクが無しの状態から電源がオンされたときに、トレイが自動的にオープンされるので、記録動作が行えなくなったり、再生動作が行えなくなったり、タイマー記録時に記録が行えなくなったりする不具合をユーザに速やかに確実に伝えることができ、これにより、その不具合によるトラブルを未然に防ぐことができる。
【００３２】
請求項３の発明では、請求項２の発明において、前記システムコントローラは、光ディスクがトレイに載置されていなく、トレイがクローズになっている状態を示す第１の状態を検出する第１の状態検出手段と、ユーザ側では記録不可の光ディスクがトレイに載置されていて、トレイがクローズになっている状態を示す第２の状態を検出する第２の状態検出手段と、トレイに載置されている光ディスクのディスク残量が無くなった状態で、トレイがクローズになっている状態を示す第３の状態を検出する第３の状態検出手段と、トレイに載置されている光ディスクが記録中にディスク残量が無くなった状態で、トレイがクローズになっている状態を示す第４の状態を検出する第４の状態検出手段と、光ディスクをトレイに載置して装置に挿入しマウント処理時にローディングエラーになった状態を示す第５の状態を検出する第５の状態検出手段と、電源オフであって光ディスクがトレイに載置されていなくてディスク無しの状態を示す第６の状態を検出する第６の状態検出手段と、前記第１の状態あるいは前記第２の状態あるいは前記第３の状態において記録キーが押下されたとき、または前記第１の状態あるいは前記第２の状態あるいは前記第３の状態においてタイマー記録のスタンバイに入れられたとき、または前記第１の状態において再生キーが押下されたとき、または前記第４の状態において記録が停止したとき、または第５の状態になったとき、または前記第６の状態において電源キーが押下されたときに、セットアップによる初期設定で自動トレイオープンに設定されている場合に、トレイをオープンさせる制御を行うトレイ制御手段とを有する。
【００３３】
したがって、前記システムコントローラは、第１の状態検出処理、第２の状態検出処理、第３の状態検出処理、第４の状態検出処理、第５の状態検出処理、第６の状態検出処理、およびトレイ制御処理を実現でき、これにより、光ディスクが装置内に無しで記録キーが押下されたとき、記録できない光ディスクが装置に挿入されている場合に記録キーが押下されたとき、記録できない状態でタイマー記録スタンバイに入れられたとき、光ディスクが装置内に無しで再生キーが押下されたとき、記録中にディスク残量が無くなったとき、ディスク挿入時にローディングエラーになったとき、装置の電源がオフで装置内に光ディスクが無しの状態から電源がオンされたときに、トレイをオープンさせることが可能になる。
【発明の効果】
【００３４】
以上のように本発明によれば、光ディスクがトレイに載置されていなく、トレイがクローズになっている状態を示す第１の状態を検出する第１の状態検出手段と、ユーザ側では記録不可の光ディスクがトレイに載置されていて、トレイがクローズになっている状態を示す第２の状態を検出する第２の状態検出手段と、トレイに載置されている光ディスクのディスク残量が無くなった状態で、トレイがクローズになっている状態を示す第３の状態を検出する第３の状態検出手段と、トレイに載置されている光ディスクが記録中にディスク残量が無くなった状態で、トレイがクローズになっている状態を示す第４の状態を検出する第４の状態検出手段と、光ディスクをトレイに載置して装置に挿入しマウント処理時にローディングエラーになった状態を示す第５の状態を検出する第５の状態検出手段と、電源オフであって光ディスクがトレイに載置されていなくてディスク無しの状態を示す第６の状態を検出する第６の状態検出手段と、前記第１の状態あるいは前記第２の状態あるいは前記第３の状態において記録キーが押下されたとき、または前記第１の状態あるいは前記第２の状態あるいは前記第３の状態においてタイマー記録のスタンバイに入れられたとき、または前記第１の状態において再生キーが押下されたとき、または前記第４の状態において記録が停止したとき、または第５の状態になったとき、または前記第６の状態において電源キーが押下されたときに、セットアップによる初期設定で自動トレイオープンに設定されている場合に、トレイをオープンさせる制御を行うトレイ制御手段とを有するシステムコントローラを備えたので、光ディスクが装置内に無しで記録キーが押下されたとき、記録できない光ディスクが装置に挿入されている場合に記録キーが押下されたとき、記録できない状態でタイマー記録スタンバイに入れられたとき、光ディスクが装置内に無しで再生キーが押下されたとき、記録中にディスク残量が無くなったとき、ディスク挿入時にローディングエラーになったとき、装置の電源がオフで装置内に光ディスクが無しの状態から電源がオンされたときに、トレイが自動的にオープンされ、これにより、記録動作が行えなくなったり、再生動作が行えなくなったり、タイマー記録時に記録が行えなくなったりする不具合をユーザに速やかに確実に伝えることができ、したがって、ユーザは、その不具合によるトラブルを未然に防ぐことができる。
【００３５】
また、本発明によれば、光ディスクがトレイに載置されていなく、トレイがクローズになっている状態を示す第１の状態、あるいはユーザ側では記録不可の光ディスクがトレイに載置されていて、トレイがクローズになっている状態を示す第２の状態、あるいはトレイに載置されている光ディスクのディスク残量が無くなった状態で、トレイがクローズになっている状態を示す第３の状態において記録キーが押下されたとき、または前記第１の状態あるいは前記第２の状態あるいは前記第３の状態においてタイマー記録のスタンバイに入れられたとき、または前記第１の状態において再生キーが押下されたとき、またはトレイに載置されている光ディスクが記録中にディスク残量が無くなった状態で、トレイがクローズになっている状態を示す第４の状態において記録が停止したとき、または光ディスクをトレイに載置して装置に挿入しマウント処理時にローディングエラーになった状態を示す第５の状態になったとき、または電源オフであって光ディスクがトレイに載置されていなくてディスク無しの状態を示す第６の状態において電源キーが押下されたときに、セットアップによる初期設定で自動トレイオープンに設定されている場合に、トレイをオープンさせる制御を行うシステムコントローラを備えたので、光ディスクが装置内に無しで記録キーが押下されたとき、記録できない光ディスクが装置に挿入されている場合に記録キーが押下されたとき、記録できない状態でタイマー記録スタンバイに入れられたとき、光ディスクが装置内に無しで再生キーが押下されたとき、記録中にディスク残量が無くなったとき、ディスク挿入時にローディングエラーになったとき、装置の電源がオフで装置内に光ディスクが無しの状態から電源がオンされたときに、トレイが自動的にオープンされ、これにより、記録動作が行えなくなったり、再生動作が行えなくなったり、タイマー記録時に記録が行えなくなったりする不具合をユーザに速やかに確実に伝えることができ、したがって、ユーザは、その不具合によるトラブルを未然に防ぐことができる。
【発明を実施するための最良の形態】
【００３６】
以下、添付図面を参照しつつ、本発明の実施の形態について説明する。図１は本発明の一実施形態に係る光ディスク装置の構成を示すブロック図である。
【００３７】
この光ディスク装置は、装置全体を制御するシステムコントローラ２２と、光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。スレッド３、サーボ制御部４、モータ駆動回路３５、および下記ＲＦアンプ６は、フロントエンド３５を構成している。
【００３８】
また、この光ディスク装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００３９】
また、この光ディスク装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧでデコード処理を行うビデオＭＰＥＧデコーダ１５と、このビデオＭＰＥＧデコーダ１５でのデコード処理を行うためにデータを一時的に格納するＲＡＭ１４とを備えている。
【００４０】
また、この光ディスク装置は、システムコントローラ２２の指示に応じてビデオＭＰＥＧデコーダ１５から出力されたデータとサブピクチャデコーダ１３から出力されたデータとを合成するビデオプロセッサ１７と、システムコントローラ２２からのメッセージデータをＯＳＤ（オンスクリーンディスプレイ）処理するＯＳＤ回路３７と、ビデオプロセッサ１７から出力された合成データまたは／およびＯＳＤ回路３７から出力されたメッセージデータを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００４１】
また、この光ディスク装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク装置は、装置の各構成要素を制御したり、装置全体を制御したりするためのプログラムやデータが記憶された不揮発性メモリとしてのフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７とを備えている。
【００４２】
また、この光ディスク装置は、アンテナ２８に接続されるチューナ２９と、このチューナ２９で選局されたテレビジョン放送のアナログの映像音声信号、あるいは図示しないテレビジョン受信機や他の映像音声出力機器からの映像音声信号をデジタルの映像音声データに変換するＡ／Ｄ変換回路３０と、前記映像音声データをＭＰＥＧ（Moving Picture Experts Group）でエンコードするＭＰＥＧエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００４３】
また、この光ディスク装置は、トレイ１０５（図２参照）を駆動させるトレイ駆動部３６と、トレイ１０５を装置の前面操作部１０１（図２参照）に対して引き出したり引き込めたりするようにトレイ駆動部３６を制御するトレイ駆動制御部３５とを備えている。
【００４４】
システムコントローラ２２は、本実施形態の特徴として、光ディスクがトレイ１０５（図２参照）に載置されていなく、トレイ１０５（図２参照）がクローズになっている状態を示す第１の状態を検出する第１の状態検出手段２２１と、ユーザ側では記録不可の光ディスクがトレイ１０５（図２参照）に載置されていて、トレイ１０５（図２参照）がクローズになっている状態を示す第２の状態を検出する第２の状態検出手段２２２と、トレイ１０５（図２参照）に載置されている光ディスクのディスク残量が無くなった状態で、トレイがクローズになっている状態を示す第３の状態を検出する第３の状態検出手段２２３と、トレイ１０５（図２参照）に載置されている光ディスクが記録中にディスク残量が無くなった状態で、トレイ１０５（図２参照）がクローズになっている状態を示す第４の状態を検出する第４の状態検出手段２２４と、光ディスクをトレイ１０５（図２参照）に載置して装置に挿入しマウント処理時にローディングエラーになった状態を示す第５の状態を検出する第５の状態検出手段２２５と、電源オフであって光ディスクがトレイ１０５（図２参照）に載置されていなくてディスク無しの状態を示す第６の状態を検出する第６の状態検出手段２２６と、前記第１の状態あるいは前記第２の状態あるいは前記第３の状態において記録キーが押下されたとき、または前記第１の状態あるいは前記第２の状態あるいは前記第３の状態においてタイマー記録のスタンバイに入れられたとき、または前記第１の状態において再生キーが押下されたとき、または前記第４の状態において記録が停止したとき、または第５の状態になったとき、または前記第６の状態において電源キーが押下されたときに、セットアップによる初期設定で自動トレイオープンに設定されている場合に、トレイ１０５（図２参照）をオープンさせる制御を行うトレイ制御手段２２７とを有する。
【００４５】
図２は本実施形態に係る光ディスク装置の簡略化した外観の一例を示す斜視図である。図３は図２に示す光ディスク装置においてトレイがオープン状態になっている場合の斜視図である。
【００４６】
図２および図３において、１００は光ディスク装置のケースを示し、このケース１００の前面操作部１０１には、光ディスクが載置されるトレイ１０５と、このトレイ１０５を開閉させるためのトレイ開閉キー（イジェクトボタン）１０２と、装置の電源をオンまたはオフさせる電源キー１０３と、各種操作を行うための複数の操作キー１０４とが設けられている。
【００４７】
図４は本実施形態において第１の状態のときに記録キーが押下された場合のトレイ制御を説明するためのフローチャートである。このフローチャートおよび図１〜図３を参照して第１の状態のときに記録キーが押下された場合のトレイ制御について説明する。
【００４８】
システムコントローラ２２は、光ディスクがトレイ１０５に載置されていなく、トレイ１０５がクローズになっている状態を示す第１の状態、ユーザ側では記録不可の光ディスクがトレイ１０５に載置されていて、トレイ１０５がクローズになっている状態を示す第２の状態、トレイ１０５に載置されている光ディスクのディスク残量が無くなった状態で、トレイ１０５がクローズになっている状態を示す第３の状態、トレイ１０５に載置されている光ディスクが記録中にディスク残量が無くなった状態で、トレイ１０５がクローズになっている状態を示す第４の状態、光ディスクをトレイ１０５に載置して装置に挿入しマウント処理時にローディングエラーになった状態を示す第５の状態、および電源オフであって光ディスクがトレイ１０５に載置されていなくてディスク無しの状態を示す第６の状態の何れかを、第１〜第６の状態検出手段２２１〜２２６により検出する（ステップＡ１）。
【００４９】
ここで、システムコントローラ２２の第１の状態検出手段２２１は、光ディスクがトレイ１０５に載置されていなく、トレイ１０５がクローズ状態であることを検出したとする（ステップＡ２）。トレイ１０５に光ディスクが載置されているか否かの判定は、例えば、光ピックアップ２が出射したレーザ光の反射光のレベルを検出し、低レベルであれば、トレイ１０５に光ディスクが載置されていないことを示し、或る一定以上のレベルであれば、レーザ光が光ディスクから反射されていることになるので、トレイ１０５に光ディスクが載置されていることを示すことになる。また、トレイ１０５に光ディスクが載置されている場合は、発光素子からの光を遮断し、トレイ１０５に光ディスクが載置されていない場合は、発光素子からの光を受光素子で受光するようにしたフォトカプラを用いることによって、トレイ１０５に光ディスクが載置されているか否の判定を行っても良い。
【００５０】
トレイ１０５がクローズ状態であるか否かの判定は、トレイ１０５がオープン状態のとき発光素子からの光を受光素子で受光し、受光素子はオンとなり、トレイ１０５はオープン状態であることを検出でき、一方、トレイ１０５がクローズ状態のとき発光素子からの光をトレイ１０５で遮断するようにすれば、受光素子には発光素子からの光が届かないので、受光素子はオフとなり、トレイ１０５はクローズ状態であることを検出できる。
【００５１】
この第１の状態のときに、記録キー（リモコン２１の記録キーまたは前面操作部１０１の記録キー）がユーザにより押下されると、システムコントローラ２２は記録キーの押下を検出する（ステップＡ３）。このとき、システムコントローラ２２は、ディスプレイ装置２０に表示されたセットアップ画面上のセットアップによる初期設定で自動トレイオープンに設定されているか否かを判定する（ステップＡ４）。自動トレイオープンとは、第１〜第６の状態の何れかが検出された後、予め定めた処理がされたときに、トレイ１０５を自動的にオープンさせる処理のことを言う。
【００５２】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＡ５）。一方、自動トレイオープンに設定されていない（自動トレイオープンがオフ設定されている）と判定された場合は、システムコントローラ２２は自動トレイオープンの処理を無効にする（ステップＡ６）。したがって、この場合は、ユーザが記録キーを押下しても、動作は何ら変化しない。ユーザが自動的にトレイ１０５をオープンさせたくない場合は、自動トレイオープンをオフに設定すれば良い。
【００５３】
なお、前記第１の状態になったときに、システムコントローラ２２は、フラッシュＲＯＭ２３に予め記憶されている第１の状態の内容を示すメッセージデータを読み出し、ＯＳＤ回路３７およびビデオエンコーダ１８の処理を経てディスプレイ装置２０に与えることにより、ディスプレイ装置２０に、例えば「光ディスクがトレイに載置されていません。」というメッセージを表示させても良い。これにより、ユーザは、前記第１の状態の内容を把握することができる。
【００５４】
図５は本実施形態において第２の状態のときに記録キーが押下された場合のトレイ制御を説明するためのフローチャートである。このフローチャートおよび図１〜図３を参照して第２の状態のときに記録キーが押下された場合のトレイ制御について説明する。
【００５５】
システムコントローラ２２は、前述した第１〜第６の状態の何れかを検出し（ステップＢ１）、システムコントローラ２２の第２の状態検出手段２２２は、記録不可の光ディスク（市販の映画ソフトが記録されたＤＶＤ−ＲＯＭなど）がトレイ１０５に載置されていて、トレイ１０５がクローズになっている状態を示す第２の状態を検出したとする（ステップＢ２）。記録不可の光ディスクであるか否かの判定は、光ディスクを挿入して立ち上げるマウント処理において光ディスクから読み出されるディスク管理情報に含まれるディスク種類を調べることにより可能である。
【００５６】
この第２の状態のときに、記録キー（リモコン２１の記録キーまたは前面操作部１０１の記録キー）がユーザにより押下されると、システムコントローラ２２は記録キーの押下を検出する（ステップＢ３）。このとき、システムコントローラ２２は、装置のセットアップによる初期設定で自動トレイオープンに設定されているか否かを判定する（ステップＢ４）。
【００５７】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＢ５）。一方、自動トレイオープンに設定されていない（自動トレイオープンがオフ設定されている）と判定された場合は、システムコントローラ２２は自動トレイオープンの処理を無効にする（ステップＢ６）。
【００５８】
なお、前記第２の状態になったときに、システムコントローラ２２は、フラッシュＲＯＭ２３に予め記憶されている第２の状態の内容を示すメッセージデータを読み出し、ＯＳＤ回路３７およびビデオエンコーダ１８の処理を経てディスプレイ装置２０に与えることにより、ディスプレイ装置２０に、例えば「記録不可の光ディスクがトレイに載置されています。」というメッセージを表示させても良い。これにより、ユーザは、前記第２の状態の内容を把握することができる。
【００５９】
図６は本実施形態において第３の状態のときに記録キーが押下された場合のトレイ制御を説明するためのフローチャートである。このフローチャートおよび図１〜図３を参照して第３の状態のときに記録キーが押下された場合のトレイ制御について説明する。
【００６０】
システムコントローラ２２は、前述した第１〜第６の状態の何れかを検出し（ステップＣ１）、システムコントローラ２２の第３の状態検出手段２２３は、トレイ１０５に載置されている光ディスクのディスク残量が無くなった状態で、トレイ１０５がクローズになっている状態を示す第３の状態を検出したとする（ステップＣ２）。光ディスクのディスク残量が無くなっているか否かの判定は、光ディスクを挿入して立ち上げるマウント処理において光ディスクから読み出されるディスク管理情報に含まれる空き容量の値を調べることにより可能である。
【００６１】
この第３の状態のときに、記録キー（リモコン２１の記録キーまたは前面操作部１０１の記録キー）がユーザにより押下されると、システムコントローラ２２は記録キーの押下を検出する（ステップＣ３）。このとき、システムコントローラ２２は、装置のセットアップによる初期設定で自動トレイオープンに設定されているか否かを判定する（ステップＣ４）。
【００６２】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＣ５）。一方、自動トレイオープンに設定されていない（自動トレイオープンがオフ設定されている）と判定された場合は、システムコントローラ２２は自動トレイオープンの処理を無効にする（ステップＣ６）。
【００６３】
なお、前記第３の状態になったときに、システムコントローラ２２は、フラッシュＲＯＭ２３に予め記憶されている第３の状態の内容を示すメッセージデータを読み出し、ＯＳＤ回路３７およびビデオエンコーダ１８の処理を経てディスプレイ装置２０に与えることにより、ディスプレイ装置２０に、例えば「トレイに載置されている光ディスクのディスク残量が無くなっています。」というメッセージを表示させても良い。これにより、ユーザは、前記第３の状態の内容を把握することができる。
【００６４】
図７は本実施形態において第１の状態のときにタイマー記録スタンバイになった場合のトレイ制御を説明するためのフローチャートである。このフローチャートおよび図１〜図３を参照して第１の状態のときにタイマー記録スタンバイになった場合のトレイ制御について説明する。
【００６５】
システムコントローラ２２は、前述した第１〜第６の状態の何れかを検出し（ステップＤ１）、システムコントローラ２２の第１の状態検出手段２２１は、トレイ１０５に載置されていなく、トレイ１０５がクローズになっている第１の状態を検出したとする（ステップＤ２）。この第１の状態のときに、リモコン２１の操作によりタイマー記録（録画予約）のスタンバイに入れられたとき（タイマースタンバイがオンされたとき）、システムコントローラ２２はタイマー記録のスタンバイが入れられたことを検出する（ステップＤ３）。このとき、システムコントローラ２２は、装置のセットアップによる初期設定で自動トレイオープンに設定されているか否かを判定する（ステップＤ４）。
【００６６】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＤ５）。一方、自動トレイオープンに設定されていない（自動トレイオープンがオフ設定されている）と判定された場合は、システムコントローラ２２は自動トレイオープンの処理を無効にする（ステップＤ６）。
【００６７】
なお、前記第１の状態になったときに、システムコントローラ２２は、フラッシュＲＯＭ２３に予め記憶されている第１の状態の内容を示すメッセージデータを読み出し、ＯＳＤ回路３７およびビデオエンコーダ１８の処理を経てディスプレイ装置２０に与えることにより、ディスプレイ装置２０に、例えば「光ディスクがトレイに載置されていません。」というメッセージを表示させても良い。これにより、ユーザは、前記第１の状態の内容を把握することができる。
【００６８】
図８は本実施形態において第２の状態のときにタイマー記録スタンバイになった場合のトレイ制御を説明するためのフローチャートである。このフローチャートおよび図１〜図３を参照して第１の状態のときにタイマー記録スタンバイになった場合のトレイ制御について説明する。
【００６９】
システムコントローラ２２は、前述した第１〜第６の状態の何れかを検出し（ステップＥ１）、システムコントローラ２２の第２の状態検出手段２２２は、記録不可の光ディスクがトレイ１０５に載置されていて、トレイ１０５がクローズになっている状態を示す第２の状態を検出したとする（ステップＥ２）。この第２の状態のときに、リモコン２１の操作によりタイマー記録（録画予約）のスタンバイに入れられたとき（タイマースタンバイがオンされたとき）、システムコントローラ２２はタイマー記録のスタンバイが入れられたことを検出する（ステップＥ３）。このとき、システムコントローラ２２は、装置のセットアップによる初期設定で自動トレイオープンに設定されているか否かを判定する（ステップＥ４）。
【００７０】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＥ５）。一方、自動トレイオープンに設定されていない（自動トレイオープンがオフ設定されている）と判定された場合は、システムコントローラ２２は自動トレイオープンの処理を無効にする（ステップＥ６）。
【００７１】
なお、前記第２の状態になったときに、システムコントローラ２２は、フラッシュＲＯＭ２３に予め記憶されている第２の状態の内容を示すメッセージデータを読み出し、ＯＳＤ回路３７およびビデオエンコーダ１８の処理を経てディスプレイ装置２０に与えることにより、ディスプレイ装置２０に、例えば「記録不可の光ディスクがトレイに載置されています。」というメッセージを表示させても良い。これにより、ユーザは、前記第２の状態の内容を把握することができる。
【００７２】
図９は本実施形態において第３の状態のときにタイマー記録スタンバイになった場合のトレイ制御を説明するためのフローチャートである。このフローチャートおよび図１〜図３を参照して第３の状態のときにタイマー記録スタンバイになった場合のトレイ制御について説明する。
【００７３】
システムコントローラ２２は、前述した第１〜第６の状態の何れかを検出し（ステップＦ１）、システムコントローラ２２の第３の状態検出手段２２３は、トレイ１０５に載置されている光ディスクのディスク残量が無くなった状態で、トレイ１０５がクローズになっている第３の状態を検出したとする（ステップＦ２）。この第３の状態のときに、リモコン２１の操作によりタイマー記録（録画予約）のスタンバイに入れられたとき（タイマースタンバイがオンされたとき）、システムコントローラ２２はタイマー記録のスタンバイが入れられたことを検出する（ステップＦ３）。このとき、システムコントローラ２２は、装置のセットアップによる初期設定で自動トレイオープンに設定されているか否かを判定する（ステップＦ４）。
【００７４】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＦ５）。一方、自動トレイオープンに設定されていない（自動トレイオープンがオフ設定されている）と判定された場合は、システムコントローラ２２は自動トレイオープンの処理を無効にする（ステップＦ６）。
【００７５】
なお、前記第３の状態になったときに、システムコントローラ２２は、フラッシュＲＯＭ２３に予め記憶されている第３の状態の内容を示すメッセージデータを読み出し、ＯＳＤ回路３７およびビデオエンコーダ１８の処理を経てディスプレイ装置２０に与えることにより、ディスプレイ装置２０に、例えば「トレイに載置されている光ディスクのディスク残量が無くなっています。」というメッセージを表示させても良い。これにより、ユーザは、前記第３の状態の内容を把握することができる。
【００７６】
図１０は本実施形態において第１の状態のときに再生キーが押下された場合のトレイ制御を説明するためのフローチャートである。このフローチャートおよび図１〜図３を参照して第１の状態のときにタイマー記録スタンバイになった場合のトレイ制御について説明する。
【００７７】
システムコントローラ２２は、前述した第１〜第６の状態の何れかを検出し（ステップＧ１）、システムコントローラ２２の第１の状態検出手段２２１は、光ディスクがトレイ１０５に載置されていなく、トレイ１０５がクローズになっている第１の状態を検出したとする（ステップＧ２）。この第１の状態のときに、再生キーが押下されたとき、システムコントローラ２２は再生キーが押下されたことを検出する（ステップＧ３）。このとき、システムコントローラ２２は、装置のセットアップによる初期設定で自動トレイオープンに設定されているか否かを判定する（ステップＧ４）。
【００７８】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＧ５）。一方、自動トレイオープンに設定されていない（自動トレイオープンがオフ設定されている）と判定された場合は、システムコントローラ２２は自動トレイオープンの処理を無効にする（ステップＧ６）。
【００７９】
なお、前記第１の状態になったときに、システムコントローラ２２は、フラッシュＲＯＭ２３に予め記憶されている第１の状態の内容を示すメッセージデータを読み出し、ＯＳＤ回路３７およびビデオエンコーダ１８の処理を経てディスプレイ装置２０に与えることにより、ディスプレイ装置２０に、例えば「光ディスクがトレイに載置されていません。」というメッセージを表示させても良い。これにより、ユーザは、前記第１の状態の内容を把握することができる。
【００８０】
図１１は本実施形態において第４の状態のときに記録停止処理がされた場合のトレイ制御を説明するためのフローチャートである。このフローチャートおよび図１〜図３を参照して第４の状態のときに記録停止処理がされた場合のトレイ制御について説明する。
【００８１】
システムコントローラ２２は、前述した第１〜第６の状態の何れかを検出し（ステップＨ１）、システムコントローラ２２の第４の状態検出手段２２４は、トレイ１０５に載置されている光ディスクが記録中にディスク残量が無くなった状態で、トレイ１０５がクローズになっている第４の状態を検出したとする（ステップＨ２）。例えば、或るテレビ番組を光ディスクに記録中に（ステップＨ２１）、光ディスクの空き容量がなくなり、システムコントローラ２２は、トレイ１０５に載置されている光ディスクのディスク残量が無しであることを検出する（ステップＨ２２）。即ち、システムコントローラ２２の第４の状態検出手段２２４は、前記第４の状態を検出する。
【００８２】
この第４の状態になったときに、システムコントローラ２２は、光ピックアップ２の記録動作を停止させると共にスピンドルモータ１を停止させることにより、光ディスクに対する記録停止処理を行う（ステップＨ３）。そして、システムコントローラ２２は、装置のセットアップによる初期設定で自動トレイオープンに設定されているか否かを判定する（ステップＨ４）。
【００８３】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＨ５）。一方、自動トレイオープンに設定されていない（自動トレイオープンがオフ設定されている）と判定された場合は、システムコントローラ２２は自動トレイオープンの処理を無効にする（ステップＨ６）。
【００８４】
なお、前記第４の状態になったときに、システムコントローラ２２は、フラッシュＲＯＭ２３に予め記憶されている第４の状態の内容を示すメッセージデータを読み出し、ＯＳＤ回路３７およびビデオエンコーダ１８の処理を経てディスプレイ装置２０に与えることにより、ディスプレイ装置２０に、例えば「トレイに載置されている光ディスクは記録中にディスク残量が無くなりました。」というメッセージを表示させても良い。これにより、ユーザは、前記第４の状態の内容を把握することができる。
【００８５】
図１２は本実施形態において第５の状態のときにローディングエラーが発生した場合のトレイ制御を説明するためのフローチャートである。このフローチャートおよび図１〜図３を参照して第５の状態のときにローディングエラーが発生した場合のトレイ制御について説明する。
【００８６】
システムコントローラ２２は、前述した第１〜第６の状態の何れかを検出し（ステップＪ１）、システムコントローラ２２の第５の状態検出手段２２５は、光ディスクをトレイ１０５に載置して装置に挿入し、マウント処理時にローディングエラーになった状態を示す第５の状態を検出したとする（ステップＪ２）。ローディングエラーの検出は、マウント処理時に光ディスクから読み出されるＲＦ信号のエラーレートを調べることにより可能である。
【００８７】
即ち、光ピックアップ２で正しく読み取られていないＲＦ信号が、ＲＦアンプ６を介してデジタル信号処理部８に与えられると、デジタル信号処理部８では、当該光ディスクのデータフォーマットに応じた信号復調処理と誤り訂正処理ができなくなる。したがって、システムコントローラ２２の第５の状態検出手段２２５は、デジタル信号処理部８からのデジタル信号の状態を検出することにより、当該光ディスクに対してローディングエラーが発生したことを検出することが可能になる。
【００８８】
ステップＪ２の処理では、システムコントローラ２２は、光ディスクの挿入を検出（ステップＪ２１）した後、当該光ディスクに対するローディングが完了したか否かを判定し（ステップＪ２２）、ローディングが完了すれば、次の操作が入るまで、装置を待機状態にする（ステップＪ２４）。しかし、ローディングが完了しなければ、システムコントローラ２２は、ローディングエラーであることを認識する（ステップＪ２３）。
【００８９】
このような処理により、システムコントローラ２２は、装置の状態が第５の状態になったことを検出すると、装置のセットアップによる初期設定で自動トレイオープンに設定されているか否かを判定する（ステップＪ３）。自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＪ４）。一方、自動トレイオープンに設定されていない（自動トレイオープンがオフ設定されている）と判定された場合は、システムコントローラ２２は自動トレイオープンの処理を無効にする（ステップＪ５）。
【００９０】
なお、前記第５の状態になったときに、システムコントローラ２２は、フラッシュＲＯＭ２３に予め記憶されている第５の状態の内容を示すメッセージデータを読み出し、ＯＳＤ回路３７およびビデオエンコーダ１８の処理を経てディスプレイ装置２０に与えることにより、ディスプレイ装置２０に、例えば「光ディスクはローディングエラーになっています。」というメッセージを表示させても良い。これにより、ユーザは、前記第５の状態の内容を把握することができる。
【００９１】
図１３は本実施形態において第６の状態のときに電源キーが押下された場合のトレイ制御を説明するためのフローチャートである。このフローチャートおよび図１〜図３を参照して第６の状態のときに電源キーが押下された場合のトレイ制御について説明する。
【００９２】
システムコントローラ２２は、前述した第１〜第６の状態の何れかを検出し（ステップＫ１）、システムコントローラ２２の第６の状態検出手段２２６は、装置の電源がオフであって光ディスクがトレイ１０５に載置されていなくてディスク無しの状態である第６の状態を検出したとする（ステップＫ２）。この第６の状態のときに、リモコン２１または前面操作部１０５の電源キーが押下されたとき、システムコントローラ２２は電源キーが押下されたことを検出する（ステップＫ３）。このとき、システムコントローラ２２は、装置のセットアップによる初期設定で自動トレイオープンに設定されているか否かを判定する（ステップＫ４）。
【００９３】
自動トレイオープンに設定（自動トレイオープンがオン設定）されていると判定された場合、システムコントローラ２２のトレイ制御手段２２７は、トレイ駆動制御部３５にトレイオープン信号を与えることにより、トレイ駆動制御部３５は、トレイ駆動部３６を駆動させ、トレイ１０５をオープンさせる（ステップＫ５）。一方、自動トレイオープンに設定されていない（自動トレイオープンがオフ設定されている）と判定された場合は、システムコントローラ２２は自動トレイオープンの処理を無効にする（ステップＫ６）。
【００９４】
以上説明したように本実施形態によれば、光ディスクが装置内に無しで記録キーが押下されたとき、記録できない光ディスクが装置に挿入されている場合に記録キーが押下されたとき、記録できない状態でタイマー記録スタンバイに入れられたとき、光ディスクが装置内に無しで再生キーが押下されたとき、記録中にディスク残量が無くなったとき、ディスク挿入時にローディングエラーになったとき、装置の電源がオフで装置内に光ディスクが無しの状態から電源がオンされたときに、トレイが自動的にオープンされるので、記録動作が行えなくなったり、再生動作が行えなくなったり、タイマー記録時に記録が行えなくなったりする不具合をユーザに速やかに確実に伝えることができ、これにより、その不具合によるトラブルを未然に防ぐことができる。
【産業上の利用可能性】
【００９５】
本発明は、ＤＶＤレコーダ、ＤＶＤプレイヤ、ＣＤプレイヤなどの光ディスク装置において、記録／再生、あるいはタイマー記録のスタンバイのときに、光ディスクに不具合あれば、トレイを自動的にオープンさせるようにする機能を付加できる。
【図面の簡単な説明】
【００９６】
【図１】本発明の一実施形態に係る光ディスク装置の構成を示すブロック図である。
【図２】前記実施形態に係る光ディスク装置の簡略化した外観の一例を示す斜視図である。
【図３】図２に示す光ディスク装置においてトレイがオープン状態になっている場合の斜視図である。
【図４】前記実施形態において第１の状態のときに記録キーが押下された場合のトレイ制御を説明するためのフローチャートである。
【図５】前記実施形態において第２の状態のときに記録キーが押下された場合のトレイ制御を説明するためのフローチャートである。
【図６】前記実施形態において第３の状態のときに記録キーが押下された場合のトレイ制御を説明するためのフローチャートである。
【図７】前記実施形態において第１の状態のときにタイマー記録スタンバイになった場合のトレイ制御を説明するためのフローチャートである。
【図８】前記実施形態において第２の状態のときにタイマー記録スタンバイになった場合のトレイ制御を説明するためのフローチャートである。
【図９】前記実施形態において第３の状態のときにタイマー記録スタンバイになった場合のトレイ制御を説明するためのフローチャートである。
【図１０】実施形態において第１の状態のときに再生キーが押下された場合のトレイ制御を説明するためのフローチャートである。
【図１１】前記実施形態において第４の状態のときに記録停止処理がされた場合のトレイ制御を説明するためのフローチャートである。
【図１２】前記実施形態において第５の状態のときにローディングエラーが発生した場合のトレイ制御を説明するためのフローチャートである。
【図１３】前記実施形態において第６の状態のときに電源キーが押下された場合のトレイ制御を説明するためのフローチャートである。
【符号の説明】
【００９７】
１    光ディスク
２２    システムコントローラ
１０５    トレイ
２２１    第１の状態検出手段
２２２    第２の状態検出手段
２２３    第３の状態検出手段
２２４    第４の状態検出手段
２２５    第５の状態検出手段
２２６    第６の状態検出手段
２２７    トレイ制御手段
【図１】
2007323739.tif 000003
【図２】
2007323739.tif 000004
【図３】
2007323739.tif 000005
【図４】
2007323739.tif 000006
【図５】
2007323739.tif 000007
【図６】
2007323739.tif 000008
【図７】
2007323739.tif 000009
【図８】
2007323739.tif 000010
【図９】
2007323739.tif 000011
【図１０】
2007323739.tif 000012
【図１１】
2007323739.tif 000013
【図１２】
2007323739.tif 000014
【図１３】
2007323739.tif 000015